(57)【要約】      （修正有）【課題】容易に支柱に取り付けることができる防獣対策の作業負担を軽減する。【解決手段】獣の侵入を防ぐ防獣ネット１に、本体部２と異なる色または異なる織り方で形成され左右方向に続く目印ライン１１を上下に複数段並行に設け、該目印ライン１１に、左右方向の間隔Ｌ毎に上下各段で対応させて支柱２０を通す通し穴１５を設けた。【選択図】図１
0003116500.tif 000002
【実用新案登録請求の範囲】
【請求項１】
獣の侵入を防ぐ防獣ネットであって、
ネット本体と異なる色または異なる織り方で形成され左右方向に続く目印ライン部を上下に複数段並行に設け、
該目印ライン部に、左右方向の所定間隔毎に上下各段で対応させて支柱を通す通し穴を設けた
防獣ネット。
【請求項２】
前記通し穴は、前記ネット本体の網目より大きい穴に形成した
請求項１記載の防獣ネット。
【請求項３】
前記目印ライン部は、ネット本体の網目より小さい網目に織り込んで形成した
請求項２記載の防獣ネット。
【請求項４】
ネット本体の上辺部と下辺部に、ネット本体より強度の強い補強ロープを左右方向に挿通した
請求項３記載の防獣ネット。
【請求項５】
前記目印ライン部を上下５段に等間隔で設けた
請求項４記載の防獣ネット。
【考案の詳細な説明】
【技術分野】
【０００１】
この考案は、例えば農作地や森林などの保護領域を囲繞して獣が侵入することを防止するような防獣ネットに関する。
【背景技術】
【０００２】
従来、農作地や森林などの保護領域に猪や鹿、猿、狸などの獣が侵入することを防止する対策として、保護領域を柵で囲繞する措置がとられている。この柵は、保護領域を囲繞するように複数の支柱を立設し、この支柱にネットを取り付けて構成されている。ネットの取り付け作業は、ネットの網目を利用するなどして、該ネットを紐や針金、結束バンド等で支柱１つ１つに手作業で結び付けて行われている。
【０００３】
このようなネットとして、合成樹脂性の糸を数本撚り上げた撚糸と、導電性の導電部材とを用いた防獣用ネットが提案されている（特許文献１参照）。これにより、導電部材の配線に要する作業負担を軽減できるとされている。
【０００４】
また、横方向の撚り線材に裸電線を組み込んで該裸電線に電流を流す野獣侵入防止網も提案されている（特許文献２参照）。これにより、獣が裸電線の隙間から侵入することや、網を突き破って侵入することを防止できるとされている。
【０００５】
しかし、これらの防獣用ネットや野獣侵入防止網は、ネットそのものを支柱に取り付ける作業負担を軽減できるものではなかった。このため、保護領域をネットで囲繞する作業は大変労力を要した。
【０００６】
【特許文献１】特開２００３−２１９７８８号公報
【特許文献２】特開２００２−２７８９９号公報
【考案の開示】
【考案が解決しようとする課題】
【０００７】
この考案は、上述の問題に鑑み、容易に支柱に取り付けることができる防獣ネットを提供し、防獣対策の作業負担を軽減することを目的とする。
【課題を解決するための手段】
【０００８】
この考案は、獣の侵入を防ぐ防獣ネットであって、ネット本体と異なる色または異なる織り方で形成され左右方向に続く目印ライン部を上下に複数段並行に設け、該目印ライン部に、左右方向の所定間隔毎に上下各段で対応させて支柱を通す通し穴を設けた防獣ネットであることを特徴とする。
【０００９】
この考案の態様として、前記通し穴は、前記ネット本体の網目より大きい穴に形成することができる。
【００１０】
またこの考案の態様として、前記目印ライン部は、ネット本体の網目より小さい網目に織り込んで形成することができる。
【００１１】
またこの考案の態様として、ネット本体の上辺部と下辺部に、ネット本体より強度の強い補強ロープを左右方向に挿通することができる。
【００１２】
またこの考案の態様として、前記目印ライン部を上下５段に等間隔で設けることができる。
【考案の効果】
【００１３】
この考案により、容易に支柱に取り付けることができる防獣ネットを提供し、防獣対策の作業負担を軽減することができる。
【考案を実施するための最良の形態】
【００１４】
この考案の一実施形態を以下図面と共に説明する。  
図１は、使用状態の防獣ネット１の斜視図を示し、図２は、防獣ネット１の部分拡大図を示す。
【００１５】
この防獣ネット１は、糸条としての合成樹脂製ヤーンによって織成されており、上辺部分と下辺部分には、補強ロープ７が設けられている。そして、ネット状の本体部２に対して、左右方向に長い目印ライン部１０が複数段（一例として上下５段）に等間隔に設けられている。この目印ライン部１０は、複数の通し穴１５が左右方向に間隔Ｌを隔てて等間隔で設けられている。この間隔Ｌは、本実施の形態では例えば約５０ｃｍに設定するが、２５ｃｍや３０ｃｍにするなど、適宜の間隔に設定することができる。上下５段の各目印ライン部１０の通し穴１５は、使用時の鉛直方向（防獣ネット１の短手方向）に一直線に並ぶように整列配置されている。
【００１６】
図２に示すように、防獣ネット１の本体は、緑色の合成樹脂製ヤーンがラッセル編みによって鎖状に編み込まれた鎖状ライン３（縦糸）に、２本ないし４本の緑色の合成樹脂製ヤーンをまとめた織込ライン５（横糸）が織り込まれて、略正方形の網目６を複数有する格子状に形成されている。この織込ライン５は、１本の鎖状ライン３に一定回数織り込まれた後、隣接する鎖状ライン３に織り込まれて同一の一定回数織り込まれ、再度元の鎖状ライン３に織り込まれるという構成が繰り返されており、これによって一定の網目サイズを確保している。
【００１７】
前記目印ライン部１０は、３本の黒色の合成樹脂製ヤーンをまとめた目印ライン１１（横糸）が、２本の鎖状ライン３の間で交互に織り込まれて形成されている。これにより、目印ライン１１による網目１２のサイズは、上述した織込ライン５による網目６のサイズより小さく構成されている。
【００１８】
また、目印ライン部１０における通し穴１５部分は、２本の鎖状ライン３に交互に織り込まれていた目印ライン１１が、その部分だけ一定回数１本の鎖状ライン３に織り込まれており、これによって織込ライン５の網目６のサイズより大きい通し穴１５となる空間が形成されている。
【００１９】
防獣ネット１の全体の構成として、上辺と下辺には、織込ライン５による網目が一段形成され、これに隣接して目印ライン１１による目印ライン部１０が形成されている。そして、各目印ライン部１０の上下間には、織込ライン５による網目が１３個並ぶように形成されている。
【００２０】
また、防獣ネット１の上辺と下辺にあたる織込ライン５による網目部分には、図２に示すように、重なっている２つの織込ライン５の間に形成された挿通空間４に補強ロープ７が挿通されている。この補強ロープ７は、複数本の黒色の合成樹脂製ヤーンによってロープ状に形成されている。
【００２１】
次に、上述した防獣ネット１を設置する作業について説明する。  
図３は、防獣ネット１の設置作業の説明図を示し、図４は、設置後の防獣ネット１の側面図を示す。
【００２２】
利用者は、図３（Ａ）の側面図に示すように、まず防獣ネット１の通し穴１５（図２参照）に支柱２０を挿通する。このとき、図１に示すように上下に５段に並んだ５つの通し穴１５のうち、上方の４つの通し穴１５に対して、波縫いの如く表裏へ交互に支柱２０を通す。従って、最下段にある通し穴１５には支柱２０を通さない。
【００２３】
次に、図３（Ｂ）の側面図に示すように、支柱２０を地面３０に打ち込む。このとき、防獣ネット１のうち下から２段目の通し穴１５より下方部分である垂れ部１ｂは、保護領域Ｚの外側に位置するようにする。
【００２４】
そして、図４に示すように、上辺の補強ロープ７を支柱２０に巻きつけ、パッカやＵピン等の適宜の留め具で固定する。このとき、防獣ネット１の支柱２０に対する装着高さを、下から２段目の通し穴１５が地面３０の高さとほぼ同じ高さに位置するように調節する。
【００２５】
このように通し穴１５に支柱２０を通して該支柱２０を地面３０に打ち込み、防獣ネット１を支柱２０に固定する作業を、図３（Ｃ）の正面図に示すように、１つずつ順番に実行する。このとき、矢印ａに示すように、支柱２０を通し穴１５に挿通した状態で、１つ前に地面３０に打ち込み立設した支柱２０から離す方向へ支柱２０を充分に引っ張り、この状態で支柱２０を地面３０に打ち込む。これにより、防獣ネット１が支柱２０間でしっかり張った状態になるように設置している。
【００２６】
以上に説明した防獣ネット１によれば、利用者は、通し穴１５に支柱２０を通して該支柱２０を地面３０に打ち込むという簡単な作業で保護領域を防獣ネット１で囲む作業を完了できる。
【００２７】
通し穴１５に支柱２０が挿通されていることから、防獣ネット１の支柱２０への固定は、上辺近傍を支柱２０に固定するだけでも充分であり、防獣ネット１の支柱２０への取り付け作業を容易かつ短時間で完了することができる。
【００２８】
防獣ネット１の上辺には、補強ロープ７が設けられているため、この補強ロープ７を支柱２０に巻きつけるあるいは固定することで、防獣ネット１の取り付け強度を高めることができる。
【００２９】
防獣ネット１の裾部分は、垂れ部１ｂとして地面に這わすことができるため、保護領域への獣の侵入を効果的に防止できる。すなわち、例えば支柱２０の間に鉛直に張り巡らせた壁面部１ａ（図１参照）だけでは、獣が該壁面部１ａに体当たりすることや、直下の地面を掘ることができる。これに対して垂れ部１ｂを設けることで、防獣ネット１の壁面部１ａに近づこうとする獣の足が垂れ部１ｂに絡まり、獣が壁面部１ａに近づくことを防止できる。また、壁面部１ａの下方の地面に通り抜けられる程度の穴を獣が掘ろうとしても、垂れ部１ｂに獣の足が引っかかるため、穴を掘られることを防止できる。
【００３０】
また、このように獣の進入を効果的に防止する垂れ部１ｂは、最下段の通し穴１５に支柱２０を通さないだけで形成することができ、しかもこれだけで一定幅を確保できるため、獣の侵入防止に効果的な幅の垂れ部１ｂを有した状態で防獣ネット１を設置することが容易にできる。
【００３１】
また、防獣ネット１は１枚のネットとして織成することができるため、比較的安価に製造することができ、低価格で提供することが可能になる。
【００３２】
また、上下に備えた補強ロープ７と、通し穴１５の配置は、上下対象に構成されているため、利用者は上下方向を気にせず設置することができる。従って設置間違いが生じず、やり直しによる作業ロスを排除できる。
【００３３】
なお、図１に示したように、左右方向に並ぶ全ての通し穴１５に支柱２０を挿通して設置しても良いが、所定数の通し穴１５をとばしてランダムな間隔または一定間隔に支柱２０を挿通して設置してもよい。
【００３４】
また、図５の他の実施例の斜視図に示すように、補強ロープ７は、各目印ライン部１０の上方あるいは下方に隣接する網目の段の織込ライン５に各１本ずつ備えても良い。この場合は、最下段以外の補強ロープ７を支柱２０に巻きつけあるいは固定して取り付け時の強度をより高めることができる。
【００３５】
また、通し穴１５は目印ライン部１０に設けられているため、支柱２０を挿通する際に容易に発見することができる。従って、通し穴１５を探すために時間を要することがなく、作業時間を短縮することができる。
【００３６】
この考案の構成と、上述の実施形態との対応において、
この考案のネット本体は、実施形態の本体部２に対応し、
以下同様に、
ネット本体の網目は、網目６に対応し、
異色ライン部の網目は、網目１２に対応し、
通し穴は、通し穴１５に対応し、
支柱は、支柱２０に対応し、
所定間隔毎は、間隔Ｌに対応するも、
この考案は、上述の実施形態の構成のみに限定されるものではなく、多くの実施の形態を得ることができる。
【図面の簡単な説明】
【００３７】
【図１】使用状態の防獣ネット１の斜視図。
【図２】防獣ネットの部分拡大図。
【図３】防獣ネットの設置作業の説明図。
【図４】設置後の防獣ネットの側面図。
【図５】他の実施例の防獣ネットの斜視図。
【符号の説明】
【００３８】
１…防獣ネット
２…本体部
６…網目
７…補強ロープ
１０…目印ライン部
１２…網目
１５…通し穴
２０…支柱
Ｌ…間隔
【図１】
0003116500.tif 000003
【図２】
0003116500.tif 000004
【図３】
0003116500.tif 000005
【図４】
0003116500.tif 000006
【図５】
0003116500.tif 000007